(57)【要約】【課題】被ばく線量計測器と被ばく線量計測器に装着される接続部材とを備える被ばく線量超過警報装置において、小型化及び簡素化を図る。【解決手段】被ばく線量超過警報装置１は、被ばく線量を計測し、その計測値が所定値を超えた場合に電気信号を出力する信号出力部１１を有する被ばく線量計測器２と、該電気信号を検知する信号検知部５を有し、被ばく線量計測器２に装着自在な接続部材３と、該接続部材３と別体で携帯者に振動を与える振動部４２を有し、接続手段を介して接続部材３に電気的に接続される警報部材４とを備える。接続部材３が被ばく線量計測器２に装着された状態で信号検知部５により電気信号を検知したとき、警報部材４は振動部４２を作動させる。【選択図】図１
2015169579.tif 000002
【特許請求の範囲】
【請求項１】
被ばく線量を計測し、その計測値が所定値を超えた場合に電気信号を出力する信号出力部を有する被ばく線量計測器と、
前記電気信号を検知する信号検知部を有し、前記被ばく線量計測器に装着自在な接続部材と、
前記被ばく線量計測器を携帯する者に振動を与える振動部を有し、前記接続部材と別体で、前記接続部材に接続手段を介して電気的に接続される警報部材とを備え、
前記接続部材は、前記被ばく線量計測器に装着された状態で前記信号検知部により検知した前記電気信号に応じて、前記振動部を作動させることを特徴とする被ばく線量超過警報装置。
【請求項２】
前記警報部材は、前記振動部の作動と共に視覚的に報知する発光部を有することを特徴とする請求項１に記載の被ばく線量超過警報装置。
【請求項３】
前記振動部は、前記発光部を振動させるように構成されることを特徴とする請求項２に記載の被ばく線量超過警報装置。
【請求項４】
前記振動部は、前記発光部と一体とされることを特徴とする請求項２又は３に記載の被ばく線量超過警報装置。
【請求項５】
前記振動部は、前記発光部と並列接続されていることを特徴とする請求項２に記載の被ばく線量超過警報装置。
【請求項６】
前記信号検知部は、前記信号出力部に係合自在な信号入力端子を有し、
前記接続部材は、係止手段によって前記被ばく線量計測器に係止され、
該係止手段は、前記被ばく線量計測器に設けられる係止受け部と、前記接続部材に設けられる係止部とで構成されることを特徴とする請求項１〜５の何れか一項に記載の被ばく線量超過警報装置。
【請求項７】
前記接続部材は、前記被ばく線量計測器に装着された状態で前記被ばく線量計測器の底壁に当接する当接面と、該当接面より突出する突起部とを有し、
前記被ばく線量計測器の底壁が前記当接面に当接した状態で、前記被ばく線量計測器の側壁は、前記突起部に当接することにより、前記接続部材に対する前記被ばく線量計測器の移動が規制されることを特徴とする請求項１〜６のいずれか一項に記載の被ばく線量超過警報装置。
【発明の詳細な説明】
【技術分野】
【０００１】
本発明は、被ばく線量計測器を利用した被ばく線量超過警報装置に関する。
【背景技術】
【０００２】
従来、放射線の被ばく線量計測器は、被ばく線量を計測し、その計測値が所定値を超えた場合に、スピーカの音声で危険を警報するように構成されている。しかし、例えば原子力発電所内の作業において、高騒音環境下では、音声警報に気付かず、実際は危険な状態であるにもかかわらず作業を継続してしまう虞があった。
【０００３】
そこで、被ばく線量計測器と、被ばく線量計測器を収納するケースに電気的に接続可能な振動部とを備え、被ばく線量計測器の警報ランプの光を検知したときには、収納ケースに設けた制御回路を介して電気信号に変えて振動部を作動させることによって、作業者に振動を与えて警報する被ばく線量超過警報装置が提案されている（特許文献１参照）。
【０００４】
また、被ばく線量計測器と、被ばく線量計測器を収納するケースに電気的に接続可能な発光部とを備え、被ばく線量計測器の警報ランプの光を検知したときには、収納ケースに設けた制御回路を介して電気信号に変えて発光部を発光することによって、作業者に報知する被ばく線量超過警報装置が提案されている（特許文献２参照）。
【０００５】
しかしながら、これらの被ばく線量超過警報装置では、被ばく線量計測器の警報ランプの光を検知するときに、太陽光や照明等の外乱光による誤作動が生じやすく、これを防止するためには、収納ケースに遮光部材を設ける等の措置を講じる必要がある。このため、被ばく線量計測器を収納するケースの小型化や軽量化を図ることが困難であり、その大きさによっては、被ばく線量計測器を携帯する作業者にとって不便である等の問題がある。
【０００６】
また、被ばく線量を計測し、その計測値が所定値を超えた場合に電気信号を出力する被ばく線量計測器に装着自在な接続部材を備え、接続部材が被ばく線量計測器に装着された状態で被ばく線量計測器からの電気信号を受信したとき、接続部材に設けた振動部を作動させる被ばく線量超過警報装置が提案されている（特許文献３参照）。
【０００７】
しかしながら、この被ばく線量超過警報装置は、振動部を備えた接続部材を被ばく線量計測器に装着して使用するものであり、装着して一体化したものの小型化及び簡素化を図ることが困難である。
【先行技術文献】
【特許文献】
【０００８】
【特許文献１】特許４５６０３９３号公報
【特許文献２】特開２０１３−２４２１８８号公報
【特許文献３】特開２００６−１６２３０５号公報
【発明の概要】
【発明が解決しようとする課題】
【０００９】
本発明は、以上の事情に鑑みてなされたものであり、被ばく線量計測器とこれに装着される接続部材とを備える被ばく線量超過警報装置において、小型化及び簡素化を図ることで作業者の携帯に適した警報装置を提供することを目的とする。
【課題を解決するための手段】
【００１０】
本発明の被ばく線量超過警報装置は、被ばく線量を計測し、その計測値が所定値を超えた場合に電気信号を出力する信号出力部を有する被ばく線量計測器と、前記電気信号を検知する信号検知部を有し、前記被ばく線量計測器に装着自在な接続部材と、前記被ばく線量計測器を携帯する者に振動を与える振動部を有し、前記接続部材と別体で、前記接続部材に接続手段を介して電気的に接続される警報部材とを備え、前記接続部材は、前記被ばく線量計測器に装着された状態で前記信号検知部により検知した前記電気信号に応じて前記振動部を作動させることを特徴とする。
【００１１】
本発明によれば、接続部材と別体の警報部材が、被ばく線量計測器を携帯する者に振動を与える振動部を有し、接続手段を介して接続部材に電気的に接続されるように構成したので、被ばく線量計測器に接続部材を装着して使用するものであり、装着して一体化したものの小型化及び簡素化を図り、作業者の携帯に適したものとすることができる。
【００１２】
また、接続部材が、被ばく線量計測器に装着された状態で信号検知部により検知した電気信号に応じて振動部を作動させるので、高騒音環境下でも、被ばく線量の計測値が所定値を超えたことを、警報装置を携帯している作業者に確実に報知することができる。
【００１３】
本発明の被ばく線量超過警報装置において、前記警報部材は、前記振動部の作動と共に視覚的に報知する発光部を有することが好ましい。これにより、高騒音環境下でも、警報部材を携帯していない他の作業者等にも報知することができる。
【００１４】
本発明の被ばく線量超過警報装置において、前記振動部は、前記発光部を振動させるように構成されることが好ましい。これにより、発光部は、発光すると共に振動されるので、高騒音環境下でも、被ばく線量の計測値が所定値を超えたことを、警報部材を携帯していない作業者に報知しやすくなる。
【００１５】
また、前記振動部は、前記発光部と一体とされることが好ましい。これにより、発光部と振動部が一体となって、発光と共に振動するので、部品点数を削減すると共に高騒音環境下でも、被ばく線量の計測値が所定値を超えたことを警報部材を携帯していない作業者に報知しやすくなる。
【００１６】
また、前記振動部は、前記発光部と並列接続されていることが好ましい。これにより、振動部を作業者の肌に触れさせるように配設して、発光部を作業服から露出させるように配設することができ、警報部材を携帯している作業者及び携帯していない作業者のいずれにも確実に報知することができる。
【００１７】
さらに、前記信号検知部は、前記信号出力部に係合自在な信号入力端子を有し、前記接続部材は、係止手段によって前記被ばく線量計測器に係止され、前記係止手段は、前記被ばく線量計測器に設けられる係止受け部と、前記接続部材に設けられる係止部とで構成されることが好ましい。
【００１８】
これにより、接続部材を被ばく線量計測器に係止させて装着するので、接続部材を被ばく線量計測器と一体に固定することができる。このため、信号検知部の信号入力端子を信号出力部に係合した状態で電気信号を確実に検知することができる。
【００１９】
さらに、前記接続部材は、前記被ばく線量計測器に装着された状態で前記被ばく線量計測器の底壁に当接する当接面と、前記当接面よりも突出する突起部とを有し、前記被ばく線量計測器の底壁が前記当接面に当接した状態で、前記被ばく線量計測器の側壁は、前記突起部に当接することにより、前記接続部材に対する前記被ばく線量計測器の移動が規制されることが好ましい。
【００２０】
これにより、被ばく線量計測器の底壁が接続部材の当接面に当接した状態で、接続部材に対する被ばく線量計測器の移動が規制されるので、信号検知部の破損防止を図ることができる。
【図面の簡単な説明】
【００２１】
【図１】被ばく線量超過警報装置の模式図。
【図２】被ばく線量計測器の斜視図。
【図３】接続部材の分解図。
【図４】接続部材の断面図。
【図５】被ばく線量超過警報装置の制御部の構成を示すブロック図。
【発明を実施するための形態】
【００２２】
図１に示すように、本発明の実施形態に係る被ばく線量超過警報装置１は、被ばく線量計測器２と、接続部材３と、警報部材４とを備える。
【００２３】
図２に示すように、被ばく線量計測器２は、後述する信号入力端子３４が挿入自在な後述する信号出力部１１の信号出力孔２１と、後述する係止手段の一部を構成する係止孔２２とを備える。信号出力部１１は、被ばく線量を計測し、その計測値が所定値を超えた場合に音声信号を含む電気信号を出力する。なお、所定値は、必要に応じて設定変更可能である。信号出力孔２１は、イヤホン（図示省略）と電気的に接続自在に形成される。信号出力孔２１及び係止孔２２は、被ばく線量計測器２の底壁２３に設けられている。
【００２４】
図３及び図４に示すように、アダプタと称される接続部材３は、上方側から下方側に配置された基板収容部３１と、接続部３２と、電池収納部３３とを備える。接続部材３は、電気信号を検知する信号検知部５を有し、被ばく線量計測器２に装着自在である。
【００２５】
基板収容部３１は、接続部材３が被ばく線量計測器２に装着された状態で被ばく線量計測器２の底壁２３に当接する当接面３１１と、後述する調整ねじ４０が貫通して上下方向に沿って延びる貫通孔３１２と、当接面３１１の下方側に位置して基板３７を収容する収容部３１３と、当接面３１１の外縁に形成され、当接面３１１よりも上方に突出する四角形筒状の突起部３１４とを備える。また、基板収容部３１は、基板収容部３１と、接続部３２と、電池収納部３３とを接合する第１接合ねじ３５、及び基板収容部３１と接続部３２とを接合する第２接合ねじ３６がそれぞれ貫通する貫通孔（図示省略）を備える。
【００２６】
図４に示すように、信号検知部５は、信号出力孔２１に係合自在な信号入力端子３４を有する。信号入力端子３４は、その一端側が基板３７に電気的に接続されると共に、その他端側が上方側に延びるように当接面３１１を貫通して基板収容部３１に設けられている。
【００２７】
信号入力端子３４が信号出力孔２１に挿入された状態では、被ばく線量計測器２の側壁が四角形筒状の突起部３１４の内周壁に当接している。これにより、信号入力端子３４が信号出力孔２１に挿入された状態（すなわち、被ばく線量計測器２の底壁２３が基板収容部３１の当接面３１１に当接した状態）で、基板収容部３１に対する被ばく線量計測器２の前後左右方向（水平方向）の移動が規制される。このため、基板収容部３１に対する被ばく線量計測器２の前後左右方向（水平方向）の移動による信号入力端子３４の破損防止を図っている。
【００２８】
接続部３２は、電気的接続手段として有線のケーブル１２を介して警報部材４と電気的に接続するために接続孔３２１内に配置された接続端子（図示省略）と、第１接合ねじ３５が貫通して上下方向に沿って延びる貫通孔３２２と、第２接合ねじ３６と螺合するねじ孔３２３と、調整ねじ４０と螺合して上下方向に沿って延びるねじ孔３２４とを備える。また、接続部３２は、接続部３２と電池収納部３３とを接合する第３接合ねじ３８が貫通する貫通孔（図示省略）を備える。
【００２９】
係止手段は、係止孔２２と、回転操作自在な回転部３９と、回転部３９と同軸で一体的に回転して上下方向に沿って延びる調整ねじ４０とで構成される。調整ねじ４０は、貫通孔３１２を貫通して係止孔２２と螺合自在な先端部４０１と、ねじ孔３２４と螺合して先端部４０１よりも大径の基端部４０２とを有する。このため、回転部３９及び調整ねじ４０は、基端部４０２とねじ孔３２４との螺合により接続部３２に設けられる。
【００３０】
電池収納部３３は、第１接合ねじ３５と螺合するねじ孔３３１と、第３接合ねじ３８と螺合するねじ孔３３２と、市販のバッテリ６を収納する収納部３３３と、開閉自在な蓋部３３４とを備える。
【００３１】
基板収容部３１、回転部３９及び調整ねじ４０が設けられる接続部３２及び電池収納部３３は、第１接合ねじ３５、第２接合ねじ３６及び第３接合ねじ３８により接合された状態（すなわち、接続部材３が組み込まれた状態）で、信号入力端子３４を信号出力孔２１に挿入して中の接続端子に接触させた後、回転部３９を回転操作することにより、調整ねじ４０の先端部４０１を係止孔２２に螺合させるので、基板収容部３１に対する被ばく線量計測器２の上下方向の移動が規制される。
【００３２】
このように、接続部材３を被ばく線量計測器２に係止させて装着するので、接続部材３を被ばく線量計測器２と一体に固定することができる。このため、信号検知部５の信号入力端子３４を信号出力孔２１に挿入した状態（すなわち、係合した状態）を確実に維持することができる。従って、信号検知部５は、電気信号を確実に検知することができる。
【００３３】
図１に示すように、警報部材４は、振動部４１と、発光部４２とを備える。警報部材４は、接続部材３と別体で、接続手段を介して接続部材３に電気的に接続される。本実施形態では、接続手段として有線ケーブル１２を用いているが、”Bluetooth”のような無線通信手段を用いて、接続部材３と警報部材４とを電気的に接続してもよい。
【００３４】
また、警報部材４及びケーブル１２により構成されるものは、作業者の首回り或いは手首回りに装着自在である。振動部４１は、警報部材４を携帯している作業者に振動を与えることで警報するものである。発光部４２は、警報部材４を携帯していない作業者に光報知するものである。ここで、振動部４１及び発光部４２は、一本のケーブル１２により直列接続される。なお、別の実施形態では、振動部４１及び発光部４２は、別々のケーブルにより並列接続されてもよい。
【００３５】
なお、別の実施形態では、振動部４１は、発光部４２を振動させるように構成し、発光部４２と一体とされてもよい（図示省略）。
【００３６】
図５に示すように、被ばく線量超過警報装置１の制御部１０は、電気信号を出力する信号出力部１１と、信号出力部１１から出力される電気信号を検知する信号検知部５と、信号検知部５が検知された電気信号を増幅する信号増幅部７と、増幅された電気信号を警報信号に変換する信号変換部８と、バッテリ６の電圧を昇圧する昇圧部９とを備える。
【００３７】
信号増幅部７、信号変換部８及び昇圧部９は、接続部材３に設けられている。信号変換部８は、電気信号を警報信号に変換したとき、昇圧部９により昇圧された電圧をケーブル１２を介して警報部材４に供給するように構成される。警報部材４の振動部４１は、昇圧された電圧が供給されることにより、警報部材４を携帯している作業者に振動を与えることで警報する。警報部材４の発光部４２は、昇圧された電圧が供給されることにより、警報部材４を携帯していない作業者に光報知する。
【００３８】
以上のとおり、本実施形態によれば、警報部材４は、携帯している作業者に振動を与える振動部４１を有し、接続部材３と別体で、接続手段を介して接続部材３に電気的に接続されるので、被ばく線量計測器２に接続部材３を装着して使用されるものであり、装着して一体化したものの小型化及び簡素化を図り、作業者の携帯に適した装置を実現できる。
【００３９】
また、接続部材３が、被ばく線量計測器２に装着された状態で信号検知部５により検知した電気信号に応じて振動部４１を作動させるので、高騒音環境下でも、被ばく線量の計測値が所定値を超えたことを、警報部材を携帯している作業者に確実に報知することができる。
【符号の説明】
【００４０】
１…被ばく線量超過警報装置、２…被ばく線量計測器、３…接続部材、４…警報部材、５…信号検知部、６…バッテリ、７…信号増幅部、８…信号変換部、９…昇圧部、１０…制御部、１１…信号出力部、１２…ケーブル（接続手段）、２１…信号出力孔（信号出力部）、２２…係止孔（係止受け部）、２３…底壁、３１…基板収容部、３２…接続部、３３…電池収納部、３４…信号入力端子（信号検知部）、３５…第１接合ねじ、３６…第２接合ねじ、３７…基板、３８…第３接合ねじ、３９…回転部（係止部）、４０…調整ねじ（係止部）、４１…振動部、４２…発光部、３１１…当接面、３１２…貫通孔、３１３…収容部、３１４…突起部、３２１…接続孔、３２２…貫通孔、３２３…ねじ孔、３２４…ねじ孔、３３１…ねじ孔、３３２…ねじ孔、３３３…収納部、３３４…蓋部、４０１…先端部、４０２…基端部。
【図１】
2015169579.tif 000003
【図２】
2015169579.tif 000004
【図３】
2015169579.tif 000005
【図４】
2015169579.tif 000006
【図５】
2015169579.tif 000007